(57)【要約】      （修正有）【課題】衣服の有無に拘わらず愛玩動物の防寒対策に有用な愛玩動物用寝具を提供する。【解決手段】愛玩動物用寝具１０は、愛玩動物２０の胴体に被せるための掛け布材１１と、掛け布材１１に取り付けられ、愛玩動物２０の胴体に巻き付けられる長さを有する装着用部材１２とを備え、愛玩動物２０の胴体に掛け布材１１を被せた状態で、胴体に装着用部材１２を巻き付けて装着される。【選択図】図５
2019118286.tif 000002
【特許請求の範囲】
【請求項１】
愛玩動物の胴体に被せるための掛け布材と、
前記掛け布材に取り付けられ、前記愛玩動物の胴体に巻き付けられる長さを有する装着用部材とを備え、
前記愛玩動物の胴体に前記掛け布材を被せた状態で、前記胴体に前記装着用部材を巻き付けて装着される、愛玩動物用寝具。
【請求項２】
前記装着用部材は、前記掛け布材に設けられた挿通孔にスライド自在に挿通されている、請求項１に記載の愛玩動物用寝具。
【請求項３】
前記掛け布材に対して２本の前記装着用部材が交差するように取り付けられている、請求項１又は２に記載の愛玩動物用寝具。
【請求項４】
前記装着用部材の一端側に取り付けられて、前記愛玩動物の胴体に前記装着用部材を巻き付けた際に前記装着用部材の他端側を保持する保持機構をさらに備え、
前記装着用部材は、前記掛け布材に固定され、
前記装着用部材のうち、前記掛け布材の長手方向の中心から前記保持機構までの長さは、２０ｃｍ以下である、請求項１に記載の愛玩動物用寝具。
【発明の詳細な説明】
【技術分野】
【０００１】
本発明は、犬や猫等の愛玩動物用寝具に関する。
【背景技術】
【０００２】
従来から、愛玩動物用寝具として布団などが用いられている。しかし、愛玩動物に布団を被せた後に愛玩動物が布団から出ていく場合がある。そのため、飼い主は布団を掛け直すなどの対応が必要となる。
【０００３】
特許文献１には、防寒対策に有用な愛玩動物用寝具が記載されている。この愛玩動物用寝具は、愛玩動物用衣服と、愛玩動物用衣服に取り付けられて愛玩動物の胴体に覆いかぶさる掛け布材とを備えている。掛け布材が愛玩動物用衣服に取り付けられているため、掛け布材がずれ落ちず、飼い主にとって寝具を掛け直す必要がなくなる。
【先行技術文献】
【特許文献】
【０００４】
【特許文献１】特開２０１７−１１２８８６号公報
【発明の概要】
【発明が解決しようとする課題】
【０００５】
ところで、従来は、愛玩動物が衣服を着用していなければ、愛玩動物に掛け布材を取り付けることができなかった。本願発明者は、衣服を着用しない愛玩動物にも掛け布材を取り付けることができれば便利であることに気が付いた。
【０００６】
本発明は、このような事情に鑑みてなされたものであり、衣服の有無に拘わらず愛玩動物の防寒対策に有用な愛玩動物用寝具を提供することを目的とする。
【課題を解決するための手段】
【０００７】
上記目的を達成するために、本発明は、愛玩動物の胴体に被せるための掛け布材と、掛け布材に取り付けられ、愛玩動物の胴体に巻き付けられる長さを有する装着用部材とを備え、愛玩動物の胴体に掛け布材を被せた状態で、胴体に装着用部材を巻き付けて装着される、愛玩動物用寝具である。
【発明の効果】
【０００８】
本発明では、衣服の有無に拘わらず愛玩動物の防寒対策に有用な愛玩動物用寝具を提供することができる。
【図面の簡単な説明】
【０００９】
【図１】実施形態に係る愛玩動物用寝具について裏側を向けて置いた状態の図
【図２】実施形態に係る愛玩動物用寝具を装着した犬を上側から見た図
【図３】変形例１に係る愛玩動物用寝具について裏側を向けて置いた状態の図
【図４】変形例１に係る愛玩動物用寝具を装着した犬を斜め前から見た図
【図５】変形例１に係る愛玩動物用寝具を装着した犬を仰向けの状態で見た図
【図６】変形例２に係る愛玩動物用寝具について表側を向けて置いた状態の図
【発明を実施するための形態】
【００１０】
以下、図１−図６を参照しながら、本発明に係る実施形態及び変形例を詳細に説明する。なお、以下の実施形態及び変形例は、本発明の一例であって、本発明、その適用物、あるいはその用途の範囲を制限することを意図するものではない。
【００１１】
本実施形態に係る愛玩動物用寝具１０は、愛玩動物２０（例えば、犬、猫など４本足の動物）に覆い被せて使用する寝具である。愛玩動物用寝具１０は、図１に示すように、愛玩動物２０の胴体に被せることができる寸法の掛け布材１１と、掛け布材１１に取り付けられて愛玩動物２０の胴体に巻き付けられる長さを有する装着用部材１２とを備えている。装着用部材１２は、紐状又はベルト状である。愛玩動物用寝具１０では、１枚の掛け布材１１に対し２本の装着用部材１２が取り付けられている。なお、本実施形態では、愛玩動物２０に愛玩動物用寝具１０を取り付けた際に、掛け布材１１のうち装着用部材１２が取り付けられている側が裏側（内側）となり、その反対側が表側（外側）となる。
【００１２】
掛け布材１１は、図１に示すように、略矩形の布材である。掛け布材１１には、例えば、比較的厚手で保温性が高い布材（毛布やフリース生地など）を用いることができる。掛け布材１１は、愛玩動物２０の胴体長に応じて短辺の長さが決められている。例えば、掛け布材１１の短辺の長さは、愛玩動物２０の胴体長と同程度にすることができる。また、掛け布材１１の長辺の長さは、掛け布材１１を被せた愛玩動物２０が立った状態でも、長辺の両端が床に付かない程度の長さにすることができる。装着対象の動物次第であるが、例えば、長辺は短辺の１倍以上１．６倍以下の長さにすることができる。なお、掛け布材１１は、厚手で保温性が高い布材に限定されず、天然繊維、化学繊維等の織布、又は不織布等を使用することができる。
【００１３】
装着用部材１２は、例えば、伸縮自在のベルト状のゴム紐（平ゴム）を用いることができる。装着用部材１２は、掛け布材１１の裏側に縫い付けられた帯状布材１４を介して掛け布材１１に固定されている。装着用部材１２は、帯状布材１４に縫い付けられている。図１では、装着用部材１２における縫い付け箇所１５を波線で示す。帯状布材１４は、例えばジグザグ縫いによって、外周部分が掛け布材１１に縫い付けられている（図示省略）。なお、装着用部材１２は縫製によって掛け布材１１に固定したが、接着剤、面ファスナーなど他の手段を用いて装着用部材１２を掛け布材１１に固定してもよい。また、帯状布材１４について図１における上側と下側だけを縫い付け、掛け布材１１と帯状布材１４との間に、装着用部材１２を通す挿通穴（図１において左右方向に延びる挿通孔）を設け、その挿通孔に装着用部材１２を通して取り付けてもよい。
【００１４】
また、掛け布材１１に起毛の布材を用いる場合、ゴム紐である装着用部材１２を掛け布材１１に直接縫い付けにくい。そのため、装着用部材１２を帯状布材１４に縫い付けた後に、帯状布材１４を掛け布材１１に縫い付けている。なお、装着用部材１２を掛け布材１１に直接縫い付けてよい。
【００１５】
２本の装着用部材１２は、図１に示すように、掛け布材１１の長手方向に沿って略平行に取り付けられている。各装着用部材１２は、掛け布材１１の長手方向における中央部（愛玩動物の背中を覆う部分）に取り付けられている。また、掛け布材１１の短手方向における２本の装着用部材１２の配置について、片方の装着用部材１２は、掛け布材１１の一端側（例えば、一端から４分の１付近の位置）に配置され、もう片方の装着用部材１２は、掛け布材１１の中央付近（中央より少し他端側の位置）に配置されている。なお、愛玩動物用寝具１０は、掛け布材１１の一端側が愛玩動物２０の前側となるように愛玩動物２０に装着される。
【００１６】
また、装着用部材１２の一端側には、愛玩動物２０の胴体に装着用部材１２を巻き付けた際に装着用部材１２の他端側を保持する保持機構（接続部品）１３が設けられている。保持機構１３としては、例えば開閉式のバックルを用いることができる。装着用部材１２のうち、掛け布材１１の長手方向の中心（愛玩動物の背骨に対応する位置）から保持機構１３までの長さＬは、愛玩動物用寝具１０の装着時に保持機構１３が愛玩動物２０の胴体側部（横腹）に位置するように設定されており、例えば２０ｃｍ以下とすることができる。そのため、愛玩動物用寝具１０が装着された愛玩動物２０のお腹が床に付く姿勢で、保持機構１３がお腹に押し付けられることがない。なお、保持機構１３としては開閉式のバックルを用いているため、愛玩動物２０の胴体に装着用部材１２を巻き付けた際に装着用部材１２の巻き付け部分の長さを調節可能である。
【００１７】
愛玩動物２０に愛玩動物用寝具１０を装着する際は、愛玩動物２０の胴体に上側から掛け布材１１を覆いかぶせる。図２に示すように、掛け布材１１の裏側における長手方向の中央部が愛玩動物２０の背中に当たる。そして、開状態の保持機構１３の挿通部に装着用部材１２を他端から通し、愛玩動物２０の胴体に装着用部材１２を密着させる。そして、保持機構１３を閉状態にする。これにより、保持機構１３に対し装着用部材１２の他端側が固定されて、装着用部材１２の巻き付け部分の長さが一定に保持される。愛玩動物用寝具１０の装着は完了する。
【００１８】
なお、図２では、２本の装着用部材１２のうち１本は前脚の前側に通し、もう１本は前脚と後脚との間に通しているが、２本とも前脚と後脚との間に通してもよい。また、愛玩動物２０に衣服を着用させて、衣服の袖口などに装着用部材１２を通してもよい。
【００１９】
［実施形態の効果等］
実施形態によれば、衣服を着用していない愛玩動物２０に対しても愛玩動物用寝具１０を装着することができる。愛玩動物用寝具１０は、装着用部材１２によって愛玩動物２０に対し装着状態に保持される。そのため、掛け布材１１がずれ落ちにくく、飼い主にとって掛け布材１１を掛け直す必要がなくなる。
【００２０】
［変形例１］
図３及び図４を参照して変形例１ついて説明する。以下では、上述の実施形態とは異なる点について説明する。
【００２１】
本変形例に係る愛玩動物用寝具１０は、図３に示すように、２本の装着用部材１２が交差するように掛け布材１１に取り付けられている。２本の装着用部材１２は、掛け布材１１の略中央部で交差している。愛玩動物用寝具１０は、図４及び図５に示すように、愛玩動物２０の前脚の間で２本の装着用部材１２が交差するように愛玩動物２０に装着することができる。なお、図５では保持機構１３の記載は省略している。
【００２２】
［変形例２］
図６を参照して変形例２ついて説明する。以下では、上述の実施形態とは異なる点を中心に説明する。
【００２３】
本変形例に係る愛玩動物用寝具１０は、掛け布材１１に対し装着用部材１２を取り付ける手段が、実施形態とは異なる。掛け布材１１は、１本の装着用部材１２に対し２つのリング部材１６が設けられている。掛け布材１１には、４つのリング部材１６が取り付けられている。各リング部材１６の内側は、装着用部材１２の挿通孔となる。各リング部材１６の挿通孔の直径は、例えば装着用部材１２の幅よりの小さくすることで、リング部材１６に対し装着用部材１２を動きにくくすることができる。
【００２４】
４つのリング部材１６は、掛け布材１１の長手方向の中心に対し左右対称に設けられている。図６では、２つのリング部材１６は掛け布材１１の右側に設けられ、残りの２つのリング部材１６は掛け布材１１の左側に設けられている。また、掛け布材１１の短手方向における４つのリング部材１６の配置について、２つのリング部材１６は、掛け布材１１の一端側（例えば、一端から４分の１付近の位置）に配置され、残りの２つのリング部材１６は、掛け布材１１の中央付近（中央より少し他端側の位置）に配置されている。
【００２５】
４つのリング部材１６を結ぶと略長方形又は略正方形となる。本変形例では、各装着用部材１２は、対角の位置関係にある２つのリング部材１６に挿通している。４つのリング部材１６による長方形の内側では２つの装着用部材１２が交差している。また、各装着用部材１２は、保持機構１３側を持って引っ張ることでリング部材１６から外れる。各装着用部材１２は、掛け布材１１に着脱自在である。なお、各装着用部材１２は、図６において左右対称の位置関係にある２つのリング部材１６に挿通してもよい（図示省略）。この場合、２本の装着用部材１２は、上述の実施形態と同様に、掛け布材１１の長手方向に沿って略平行に延びる。
【００２６】
本変形例では、リング部材１６に対して装着用部材１２を引っ張って動かすことができる。そのため、保持機構１３が愛玩動物２０の背中側にくるように愛玩動物２０に愛玩動物用寝具１０を装着することができる。この場合。掛け布材１１の裏側（内側）において２本の装着用部材１２との間に愛玩動物２０の胴体を入れて、図６に示す掛け布材１１の表側（外側）において各装着用部材１２の他端側を保持機構１３で保持させる。また、保持機構１３が愛玩動物２０のお腹側にくるように愛玩動物２０に愛玩動物用寝具１０を装着することもできる。この場合、図６に示す側が、掛け布材１１の裏側（内側）となる。
【００２７】
なお、本変形例のように掛け布材１１に４つの挿通孔を設けた場合、装着用部材１２を１本にしてもよい。この場合、１本の装着用部材１２を４つの挿通孔に順番に通すことで、図５と同じ状態で愛玩動物２０に愛玩動物用寝具１０を装着することができる。例えば、図６において、装着用部材１２の他端が、掛け布材１１の表側から裏側へ左下の挿通孔を通り、裏側から表側へ右上の挿通孔を通り、表側から裏側へ左上の挿通孔を通り、さらに裏側から表側へ右下の挿通孔を通るようにする。そして、装着用部材１２の他端を一端側の保持機構１３で保持する。装着用部材１２は掛け布材１１の裏側で交差する。
【００２８】
［その他の変形例］
上述の実施形態及び変形例について、保持機構１３を省略してもよい。この場合、装着用部材１２の一端側と他端側とを結ぶことで、愛玩動物２０に愛玩動物用寝具１０を装着することができる。
【００２９】
上述の実施形態及び変形例では、保持機構１３として開閉式のバックルを用いたが、一対の雄雌のバックルを用いてもよい。この場合、装着用部材１２の一端側に雄側バックルを設け、装着用部材１２の他端側に雌側のバックルを設ける。そして、装着用部材１２の長さを調節できるようにアジャスターバックルを用いてもよいし、装着用部材１２の途中にアジャスターを設けてもよい。
【００３０】
上述の実施形態及び変形例では、装着用部材１２は紐状又はベルト状であったが、リボン状又はスカーフ状のものを用いてもよい。
【００３１】
上述の実施形態及び変形例について、装着用部材１２の本数は、１本であってもよいし３本以上であってもよい。
【００３２】
上述の実施形態及び変形例について、上述した以外に様々な設計変更が可能である。例えば、素材、デザインおよび大小等を自由に選択することができる。また、愛玩動物２０の種類に応じ、形状又は寸法を変えてもよい。
【産業上の利用可能性】
【００３３】
本発明は、犬や猫等の愛玩動物用寝具等に適用可能である。
【符号の説明】
【００３４】
１０    愛玩動物用寝具
１１    掛け布材
１２    装着用部材
１３    保持機構
２０    愛玩動物
【図１】
2019118286.tif 000003
【図２】
2019118286.tif 000004
【図３】
2019118286.tif 000005
【図４】
2019118286.tif 000006
【図５】
2019118286.tif 000007
【図６】
2019118286.tif 000008